(57)【特許請求の範囲】
【請求項１】
第１タイプかみそりカートリッジ接続部材を有する第１タイプかみそりカートリッジに接続されるように構成され、かつ第２タイプかみそりカートリッジ接続部材を有する第２タイプかみそりカートリッジに接続されるように構成されたかみそりカートリッジハンドルであって、前記第１タイプかみそりカートリッジ接続部材が該第２タイプかみそりカートリッジ接続部材とは異なっているかみそりカートリッジハンドルにおいて、
該かみそりカートリッジハンドルが、
カートリッジ端部及び対向する端部と、
前記第１タイプかみそりカートリッジ接続部材を前記かみそりカートリッジハンドルの前記カートリッジ端部に接続するように構成された前記カートリッジ端部の第１アセンブリ、及び
前記第２タイプかみそりカートリッジ接続部材を前記かみそりカートリッジハンドルの前記カートリッジ端部に接続するように構成された第２アセンブリと、を含み、
前記第１及び第２アセンブリが、一度に単一のかみそりカートリッジだけを前記かみそりカートリッジハンドルに取り付けることができるように構成されており、該取り付けられたかみそりカートリッジが、前記第１タイプかみそりカートリッジ又は前記第２タイプかみそりカートリッジのいずれかであり、
前記かみそりカートリッジハンドルが、さらに、
前記かみそりカートリッジハンドルに対して第１の位置に付勢され、かつ押し出し位置まで平行移動可能であるように構成された、前記かみそりカートリッジハンドルの前記カートリッジ端部のエジェクタボタンと、
遠位端を有する第１のアームと遠位端を有する第２のアームとを有し、該アームが実質的に前記かみそりカートリッジハンドル内に存在する後退位置に付勢されているように構成されたエジェクタであって、前記エジェクタボタンを前記押し出し位置まで平行移動することにより、前記エジェクタの前記第１及び第２のアームが、前記カートリッジ端部から外向きに延びるようにし、かつ前記エジェクタの前記第１及び第２のアームの前記遠位端を、前記取り付けられたかみそりカートリッジに接触させるように、前記エジェクタボタンと連動する前記エジェクタと、
遠位端を有し、延長位置に位置するように前記カートリッジ端部から外向きに付勢されるように構成されたプランジャであって、前記延長位置において、前記プランジャの前記遠位端が、前記取り付けられたかみそりカートリッジと接触しているプランジャと、をさらに含むことを特徴とするかみそりカートリッジハンドル。
【請求項２】
前記第１アセンブリは、ハンドルの前記カートリッジ端部から外向きに延びる本体を含み、前記本体は、前記第１タイプかみそりカートリッジ接続部材内に受け入れられるように構成され、前記本体は、対向する底部パネルから離間した上部パネルと、該上部及び底部パネル間を延びる端部パネルとを含み、該底部パネルは、１対のタブスロットを含み、前記プランジャ及びエジェクタは、実質的に前記上部及び底部パネル間に配置される、
ことを特徴とする請求項１に記載のかみそりカートリッジハンドル。
【請求項３】
前記第２アセンブリは、前記本体の上部パネルから離間した上部位置付けパネルと、前記本体の底部パネルから離間した底部位置付けパネルとを含むことを特徴とする請求項２に記載のかみそりカートリッジハンドル。
【請求項４】
前記第２アセンブリは、前記本体の端部パネルから外向きに延びる楔形突出部を更に含み、この突出部は、１対の側壁と、端壁とを含み、この側壁は、該端壁から該本体の端部パネルまで延びて互いに向けて収束することを特徴とする請求項３に記載のかみそりカートリッジハンドル。
【請求項５】
前記楔形突出部の少なくとも一部分が、前記エジェクタが前記カートリッジハンドル端部から外向きに拡張された時に該エジェクタ間に配置され、前記プランジャは、該楔形突出部の前記端壁から外向きに延びるように通常は付勢されていることを特徴とする請求項４に記載のかみそりカートリッジハンドル。
【請求項６】
前記第１アセンブリは、ハンドルの前記カートリッジ端部から外向きに延びる本体を含み、前記本体は、対向する底部パネルから離間した上部パネルと、該上部及び底部パネル間を延びる端部パネルとを含み、
前記第２アセンブリは、前記本体の端部パネルから外向きに延びる楔形突出部を更に含み、この突出部は、１対の側壁と、端壁とを含み、これらの側壁は、該端壁から該本体の端部パネルまで延びて互いに向けて収束する、
ことを特徴とする請求項１に記載のかみそりカートリッジハンドル。
【請求項７】
前記楔形突出部の少なくとも一部分が、前記エジェクタが前記カートリッジハンドル端部から外向きに拡張された時に該エジェクタ間に配置され、前記プランジャは、該楔形突出部の前記端壁から外向きに延びるように通常は付勢されていることを特徴とする請求項６に記載のかみそりカートリッジハンドル。
【請求項８】
前記プランジャの前記遠位端は、前記第１タイプかみそりカートリッジの刃ユニットの面と前記第２タイプかみそりカートリッジの刃ユニットの面とに係合するように構成されることを特徴とする請求項１に記載のかみそりカートリッジハンドル。
【請求項９】
前記エジェクタの前記遠位端は、前記第１タイプかみそりカートリッジ接続部材の特徴要素と、同じく前記第２タイプかみそりカートリッジ接続部材の特徴要素と協働して該それぞれのタイプのかみそりカートリッジを本発明のかみそりカートリッジハンドルから取り外すことを可能にするように構成されることを特徴とする請求項１に記載のかみそりカートリッジハンドル。
【請求項１０】
第１タイプかみそりカートリッジ接続部材を有する第１タイプかみそりカートリッジに接続されるように構成され、かつ第２タイプかみそりカートリッジ接続部材を有する第２タイプかみそりカートリッジに接続されるように構成されたかみそりカートリッジハンドルであって、前記第１タイプかみそりカートリッジ接続部材が前記第２タイプかみそりカートリッジ接続部材とは異なっているかみそりカートリッジハンドルにおいて、
該かみそりカートリッジハンドルが、
前記第１タイプかみそりカートリッジ接続部材を前記かみそりカートリッジハンドルのカートリッジ端部に接続するように構成された第１アセンブリ、及び前記第２タイプかみそりカートリッジ接続部材を前記かみそりカートリッジハンドルの前記カートリッジ端部に接続するように構成された第２アセンブリであって、該第１及び第２アセンブリが、一度に単一のかみそりカートリッジだけを前記かみそりカートリッジハンドルに取り付けることができるように構成され、この取り付けられたかみそりカートリッジが、該第１タイプかみそりカートリッジ又は該第２タイプかみそりカートリッジのいずれかである前記第１アセンブリ及び前記第２アセンブリと、
取り付けられた第１タイプかみそりカートリッジを押し出すように作動可能、かつ取り付けられた第２タイプかみそりカートリッジを押し出すように作動可能なエジェクタと、  遠位端を有するプランジャであって、該プランジャの前記遠位端が、前記取り付けられたかみそりカートリッジと接触する位置まで付勢されるように構成されているプランジャと、
を含むことを特徴とするかみそりカートリッジハンドル。
【請求項１１】
前記第１アセンブリは、かみそりカートリッジハンドルの前記カートリッジ端部から外向きに延びる本体を含み、該本体は、前記第１タイプかみそりカートリッジ接続部材内に受け入れられるように構成され、前記本体は、対向する底部パネルから離間した上部パネルと、前記上部及び底部パネル間を延びる端部パネルとを含み、前記底部パネルは、１対のタブスロットを含み、
前記エジェクタは、遠位端を有する第１のアームと遠位端を有する第２のアームとを含み、
前記プランジャの少なくとも一部分と、前記エジェクタとは、前記上部及び底部パネル間に配置される、
ことを特徴とする請求項１０に記載のかみそりカートリッジハンドル。
【請求項１２】
前記第２アセンブリは、前記本体の上部パネルから離間した上部位置付けパネルと、前記本体の底部パネルから離間した底部位置付けパネルとを含むことを特徴とする請求項１１に記載のかみそりカートリッジハンドル。
【請求項１３】
前記第２アセンブリは、前記本体の端部パネルから外向きに延びる楔形突出部を更に含むことを特徴とする請求項１２に記載のかみそりカートリッジハンドル。
【請求項１４】
前記楔形突出部の少なくとも一部分が、前記エジェクタが前記カートリッジハンドル端部から外向きに拡張された時に該エジェクタ間に配置され、前記プランジャは、該楔形突出部から外向きに延びるように通常は付勢されていることを特徴とする請求項１３に記載のかみそりカートリッジハンドル。
【請求項１５】
前記第１アセンブリは、かみそりカートリッジハンドルの前記カートリッジ端部から外向きに延びる本体を含み、前記本体は、対向する底部パネルから離間した上部パネルと、該上部及び底部パネル間を延びる端部パネルとを含み、
前記第２アセンブリは、前記本体の端部パネルから外向きに延びる楔形突出部を更に含む、
ことを特徴とする請求項１０に記載のかみそりカートリッジハンドル。
【請求項１６】
前記エジェクタは、遠位端を有する第１のアームと遠位端を有する第２のアームとを含み、前記楔形突出部の少なくとも一部分が、該エジェクタが前記カートリッジハンドル端部から外向きに拡張された時に該エジェクタ間に配置されることを特徴とする請求項１５に記載のかみそりカートリッジハンドル。
【請求項１７】
前記プランジャの前記遠位端は、取り付けられた第１タイプかみそりカートリッジの刃ユニットと係合するように構成され、かつ取り付けられた第２タイプかみそりカートリッジの刃ユニットの面と係合するように構成されることを特徴とする請求項１０に記載のかみそりカートリッジハンドル。
【請求項１８】
前記エジェクタは、遠位端を有する第１のアームと遠位端を有する第２のアームとを含み、該エジェクタの該遠位端は、前記取り付けられたかみそりカートリッジを本発明のかみそりカートリッジハンドルから取り外すことを可能にするために、取り付けられた第１タイプかみそりカートリッジ接続部材と協働するように構成され、かつ取り付けられた第２タイプかみそりカートリッジ接続部材と協働するように構成されることを特徴とする請求項１０に記載のかみそりカートリッジハンドル。
【発明の詳細な説明】
【技術分野】
【０００１】
〔関連出願への相互参照〕
本出願は、本明細書にその内容が引用によって全体的に組み込まれている２０１４年１０月１０日出願の米国仮特許出願第６２／０６２２２１号の利益を主張するものである。
【０００２】
本発明の開示は、一般的に安全かみそりハンドルに関し、特に、使い捨てかみそりカートリッジを装着するための安全かみそりハンドルに関する。
【背景技術】
【０００３】
安全かみそりとしても公知の多くの最新の湿式髭剃かみそりは、ハンドルとハンドルに装着されたかみそりカートリッジとを含む。一部のかみそりは、いわゆる使い捨てかみそりであり、ハンドル及びかみそりカートリッジは、使用後に一緒に処分される。他のかみそりは、再利用することができるハンドルと、使用後に処分されて新しいカートリッジに交換することができる取り外し可能かみそりカートリッジとを含むいわゆるシステムの形態にあるとすることができる。
【０００４】
一部のシステム−タイプの安全かみそりは、一点プラグ及びソケットドッキング装置を含み、それによってかみそりカートリッジは、ハンドルのカートリッジ端部の単一延長部又は雄突出部を受け入れるようになった単一凹部又は空洞部分を備えた接続部材を有する。米国特許第５，９５６，８５１号明細書及び米国特許第７，１６８，１７３号明細書は、カートリッジをハンドルに装着する２つのそのようなドッキング装置を示している。これらの文献において容易に判断することができるように、各それぞれの延長部及び凹部は、例えば、’８５１特許による市販かみそりカートリッジを’１７３特許による市販ハンドルに容易に装着することができないように異なって成形される。これは、ユーザが互換性のない延長部を備えたハンドルを保有するだけなのに１つの特定の接続部材凹部と共にだけ提供されるであろうある一定の髭剃技術を試したい場合があるユーザとって欠点である可能性がある。
【先行技術文献】
【特許文献】
【０００５】
【特許文献１】米国特許第５，９５６，８５１号明細書
【特許文献２】米国特許第７，１６８，１７３号明細書
【特許文献３】米国特許第８，７９３，８８０号明細書
【特許文献４】米国特許第５，７８７，５８６号明細書
【発明の概要】
【発明が解決しようとする課題】
【０００６】
米国特許第８，７９３，８８０号明細書は、比較的大きい接続部材内に比較的小さいハンドル延長部を受け入れることができるように、接続部材凹部に嵌合して凹部の寸法を実質的に低減するような大きさにされたアダプタを開示している。これは、製造業者が店頭で古いかみそりカートリッジと共に新しいかみそりカートリッジのサンプルを提供することを可能にすることができる。消費者が古くて異なる髭剃かみそりハンドル構成に対して新しいかみそりカートリッジを試すことを可能にするアダプタを新しい髭剃かみそりカートリッジ設計と共に提供することが望ましい。
【課題を解決するための手段】
【０００７】
本発明の開示の態様により、第１タイプかみそりカートリッジに接続されるように構成され、かつ第２タイプかみそりカートリッジに接続されるように構成されたかみそりカートリッジハンドルを提供し、第１タイプかみそりカートリッジは、第２タイプかみそりカートリッジとは異なっている。ハンドルは、カートリッジ端部、第１アセンブリ、第２アセンブリ、エジェクタボタン、エジェクタ、及びプランジャを含む。第１アセンブリは、第１タイプかみそりカートリッジをハンドルのカートリッジ端部に接続するように構成される。第２アセンブリは、第２タイプかみそりカートリッジをハンドルのカートリッジ端部に接続するように構成される。第１及び第２アセンブリは、一度に単一かみそりカートリッジのみをハンドルに取り付けることができるように構成される。エジェクタボタンは、通常はハンドルに対して第１の位置に付勢されており、かつ押し出し位置まで平行移動可能である。エジェクタは、遠位端を有する第１のアームと遠位端を有する第２のアームとを有する。エジェクタは、通常は、アームが実質的にハンドル内に存在する後退位置に付勢されている。エジェクタは、エジェクタボタンを押し出し位置まで平行移動することにより、エジェクタアームが、ハンドルカートリッジから外向きに延び、かつエジェクタアームの遠位端が、取り付けられたかみそりカートリッジに接触するようにエジェクタボタンと連通している。プランジャは、遠位端を有する。プランジャは、通常はハンドルカートリッジ端部から外向きに付勢されて拡張位置に存在し、拡張位置では、プランジャの遠位端は、取り付けられたかみそりカートリッジと接触している。
【０００８】
本発明の開示の別の態様により、第１タイプかみそりカートリッジに接続されるように構成され、かつ第２タイプかみそりカートリッジに接続されるように構成されたかみそりカートリッジハンドルを提供し、第１タイプかみそりカートリッジは、第２タイプかみそりカートリッジとは異なっている。ハンドルは、カートリッジ端部、第１アセンブリ、第２アセンブリ、エジェクタ、及びプランジャを含む。第１アセンブリは、第１タイプかみそりカートリッジをハンドルのカートリッジ端部に接続するように構成される。第２アセンブリは、第２タイプかみそりカートリッジをハンドルのカートリッジ端部に接続するように構成される。第１及び第２アセンブリは、一度に単一のかみそりカートリッジだけをハンドルに装着することができるように構成される。かみそりカートリッジエジェクタは、第１タイプかみそりカートリッジ及び第２タイプかみそりカートリッジの両方を選択的に押し出すように作動可能である。プランジャは、プランジャの遠位端が、取り付けられたかみそりカートリッジと接触する位置まで通常は付勢される。
【０００９】
本発明のかみそりカートリッジハンドルの上記実施形態のうちのいずれかの更に別の実施形態において、第１アセンブリは、ハンドルのカートリッジ端部から外向きに延びる本体を含み、その本体は、第１タイプかみそりカートリッジの接続部材内に受け入れられるように構成される。本体は、対向する底部パネルから離間した上部パネルと、上部及び底部パネル間を延びる端部パネルとを含み、底部パネルは、１対のタブスロットを含む。エジェクタは、遠位端を有する第１のアームと遠位端を有する第２のアームとを含む。プランジャの少なくとも一部分とエジェクタアームとは、上部及び底部パネル間に配置される。
【００１０】
本発明のかみそりカートリッジハンドルの上記実施形態のうちのいずれかの更に別の実施形態において、第２アセンブリは、本体上部パネルから離間した上部位置付けパネルと、本体底部パネルから離間した底部位置付けパネルとを含む。
【００１１】
本発明のかみそりカートリッジハンドルの上記実施形態のうちのいずれかの更に別の実施形態において、第２アセンブリは、本体端部パネルから外向きに延びる楔形突出部を更に含む。
【００１２】
本発明のかみそりカートリッジハンドルの上記実施形態のうちのいずれかの更に別の実施形態において、楔形突出部の少なくとも一部分は、エジェクタアームがハンドルカートリッジ端部から外向きに拡張された時にエジェクタアームの間に配置され、プランジャは、楔形突出部から外向きに延びるように通常は付勢されている。
【００１３】
本発明のかみそりカートリッジハンドルの上記実施形態のうちのいずれかの更に別の実施形態において、プランジャの遠位端は、取り付けられた第１タイプかみそりカートリッジの刃ユニットと係合するように構成され、かつ取り付けられた第２タイプかみそりカートリッジの刃ユニットの面と係合するように構成される。
【００１４】
本発明のかみそりカートリッジハンドルの上記実施形態のうちのいずれかの更に別の実施形態において、エジェクタは、遠位端を有する第１のアームと遠位端を有する第２のアームとを含み、エジェクタアームの遠位端は、取り付けられたかみそりカートリッジを本発明のかみそりカートリッジハンドルから取り外すことを可能にするために、取り付けられた第１タイプかみそりカートリッジの接続部材と協働するように構成され、かつ取り付けられた第２タイプかみそりカートリッジの接続部材と協働するように構成される。
【００１５】
本発明の開示の特徴及び利点は、以下に与える開示の詳細説明に照らしてかつ添付図面に示すように明らかになるであろう。
【図面の簡単な説明】
【００１６】
【図１】第１タイプかみそりカートリッジがハンドルに取り付けられた本発明のかみそりカートリッジハンドルの実施形態の概略斜視図である。
【図２】第２タイプかみそりカートリッジがハンドルに取り付けられた本発明のかみそりカートリッジハンドルの実施形態の概略斜視図である。
【図３】本発明のかみそりカートリッジハンドルの実施形態の概略上側斜視図である。
【図４】本発明のかみそりカートリッジハンドルの実施形態の概略下側斜視図である。
【図５Ａ】ハンドルの底部を示す本発明のかみそりカートリッジハンドルの実施形態の概略平面図である。
【図５Ｂ】ハンドルの側部を示す本発明のかみそりカートリッジハンドルの実施形態の概略平面図である。
【図５Ｃ】ハンドルの上部を示す本発明のかみそりカートリッジハンドルの実施形態の概略平面図である。
【図６】図４に示す本発明のハンドルの一部分の拡大図である。
【図７】図３に示す本発明のハンドルの一部分の拡大図である。
【図８】図５Ｃに示す本発明のハンドルの一部分の拡大図である。
【図９】図５Ｂに示す本発明のハンドルの一部分の拡大図である。
【図１０】プランジャの中心面を通して取った断面によって本発明のハンドルに取り付けられた第２タイプかみそりカートリッジを示す本発明のハンドルの実施形態の概略部分断面図である。
【図１１】プランジャの中心面を通して取った断面によって本発明のハンドルに取り付けられた第１タイプかみそりカートリッジを示す本発明のハンドルの実施形態の概略部分断面図である。
【図１２】取付アセンブリを通して取った断面によって本発明のハンドルに取り付けられた第１タイプかみそりカートリッジを示す本発明のハンドルの実施形態の概略部分断面図である。
【図１３】本発明のハンドルに取り付けられた第２タイプかみそりカートリッジを示す本発明のハンドルの実施形態の概略部分断面図である。
【図１４】本発明のハンドルに取り付けられた第１タイプかみそりカートリッジを示す本発明のハンドルの実施形態の概略部分断面図である。
【図１５】第１タイプかみそりカートリッジの平面図である。
【図１６】第１タイプかみそりカートリッジの部分断面側面図である。
【図１７】第２タイプかみそりカートリッジの前部平面図である。
【図１８】第２タイプかみそりカートリッジの後部平面図である。
【図１９】第２タイプかみそりカートリッジの接続部材の前部平面図である。
【図２０】第２タイプかみそりカートリッジの接続部材の底部平面図である。
【図２１】本発明のかみそりカートリッジハンドルの別の実施形態の部分概略斜視図である。
【図２２】ハンドルに取り付けられた第２タイプのかみそりカートリッジの接続部材の一部分を示す図２１の部分断面側面図である。
【図２３】ハンドルに取り付けられた第１及び第２タイプのかみそりカートリッジの接続部材の断片を示す図２１の部分概略断面上面図である。
【発明を実施するための形態】
【００１７】
図１及び図２を参照して、かみそりカートリッジハンドル（ハンドル）３０を提供する。第１タイプかみそりカートリッジ３２の例は、米国特許第５，７８７，５８６号明細書及び米国特許第５，９５６，８５１号明細書に一般的に説明されており、これらの特許は、これによりその全体が引用によって組み込まれる。第２タイプかみそりカートリッジ３４の例は、米国特許第７，１６８，１７３号明細書に説明されており、この特許は、これによりその全体が引用によって組み込まれる。以下により詳細に説明するように、両タイプのかみそりカートリッジ３２、３４は、接続部材（例えば、第１タイプかみそりカートリッジ接続部材３７、第２タイプかみそりカートリッジ接続部材３９）にピボット式に取り付けられた刃ユニット（例えば、第１タイプかみそりカートリッジ刃ユニット３３、第２タイプかみそりカートリッジ刃ユニット３５）を含む。
【００１８】
かみそりカートリッジハンドル３０は、複数の異なるかみそりカートリッジタイプに接続するように構成され、与えられた時点でいずれかのタイプの単に１つのかみそりカートリッジが取り付けられ、各かみそりカートリッジタイプは、以下で説明するように、他のかみそりカートリッジタイプの取付機構とは異なるハンドル３０への取付のための機構を有する。各タイプのかみそりカートリッジの接続部材は、その取付機構の少なくとも一部分を含む。
【００１９】
図１〜４及び５Ａ〜５Ｃを参照すると、かみそりカートリッジハンドル３０は、カートリッジ端部３６及び対向する端部３８を含む。図１及び２、並びに図３〜５Ｃに示すかみそりカートリッジハンドル３０は、本発明のかみそりカートリッジハンドル３０の異なる実施形態である。本発明のかみそりカートリッジハンドル３０は、これらの実施形態のいずれにも限定されない。以下では、本発明の開示を説明するのに使用する用語「かみそりカートリッジハンドル」は、それ以外に言及しない限り、これらの実施形態の両方を指すことになる。ハンドル３０は、ハンドル３０を人間工学的に保持しやすくするように湾曲させることができるが（例えば、図３〜５Ｃを参照）、いずれの特定の形状構成にも限定されない。
【００２０】
ハンドル３０は、ハンドル３０に対して第１の位置に通常は付勢されて通常位置（例えば、かみそりカートリッジが取り付けられた時）とカートリッジ−押し出し位置の間で平行移動可能であるエジェクタボタン４０を含む。図１及び３に示すハンドル３０の実施形態は、ハンドル３０のカートリッジ端部３６の近くに配置されたエジェクタボタン４０を示している。ハンドル３０は、この実施形態に限定されない。
【００２１】
図３〜１４を参照すると、ハンドル３０は、拡張位置に存在するようにハンドルカートリッジ端部３６から外向きに通常は付勢されている（例えば、バネにより）プランジャ４２を含む。かみそりカートリッジがハンドル３０に取り付けられた時に、プランジャ４２は、かみそりカートリッジ刃ユニットのカム面と係合し、髭剃り中に刃ユニットが遭遇する力が取り除かれた時にハンドル３０に対して刃ユニットを中立又は静止位置に付勢する。プランジャ４２は、第１タイプかみそりカートリッジ３２の刃ユニット３３のカム面と、第２タイプかみそりカートリッジ３４の刃ユニット３５のカム面との両方と協働するように構成された遠位端４３を含み、すなわち、本発明のプランジャ４２は、両タイプのかみそりカートリッジと共に機能する。かみそりカートリッジ刃ユニットが、例えば髭剃り力の下で、中立位置から離れて回転すると、プランジャ４２は、ハンドル３０内に後退する。用語「協働する」は、プランジャ４２の遠位端が、両タイプのかみそりカートリッジに対して刃ユニットの係合（例えば、意図する通常の付勢された位置での刃ユニットの位置決め）、プランジャ４２の軸線方向移動、及び刃ユニット３３、３５の回転移動を容易にするように、回転移動刃ユニット３３、３５のカム面と係合する意味でこの段落で上記に使用されている。図１０は、第２タイプかみそりカートリッジ３４がハンドル３０に取り付けられた本発明のハンドル３０の実施形態の断面図を示し、通常の付勢された位置に配置されてその遠位端４３が第２タイプかみそりカートリッジ３４の刃ユニット３５上のカム面４５と係合したプランジャ４２を示している。図１１は、第１タイプかみそりカートリッジ３２がハンドル３０に取り付けられた本発明のハンドル３０の実施形態の断面図を示し、通常の付勢された位置に配置されてその遠位端４３が第１タイプかみそりカートリッジ３２の刃ユニット３３上のカム面４７と係合したプランジャ４２を示している。
【００２２】
ハンドル３０は、第１のアーム４６と第２のアーム４８とを有するエジェクタ４４を含む（例えば、図６、７、１３、１４を参照）。第１のアーム４６は、遠位端５０を含み、第２のアームも遠位端５２を含む。エジェクタ４４は、アーム４６、４８が実質的にハンドル３０に存在する後退位置に通常は付勢されている（例えば、バネにより）。エジェクタ４４は、エジェクタボタン４０をカートリッジ−押し出し位置まで平行移動することにより、エジェクタアーム４６、４８が、ハンドルカートリッジ端部３６から外向きに延び、エジェクタアーム４６、４８の遠位端５０、５２が、取り付けられたかみそりカートリッジと接触するように、エジェクタボタン４０と連通している（例えば、図５Ｃを参照）。図１３は、例えば、本発明のハンドル３０の実施形態に取り付けられた第２タイプかみそりカートリッジ３４の部分断面図である。図１３に示す図では、エジェクタアーム４６、４８は、後退位置に示されており、各エジェクタアーム４６、４８の遠位端５０、５２が、第２タイプかみそりカートリッジ接続部材３９（第２タイプかみそりカートリッジ接続部材３９の更なる説明は以下に示されている）の端壁の一部を形成する片持ちラッチ５４、５６に位置合わせすることを見ることができる。図１４は、本発明のハンドル３０の実施形態に取り付けられた第１タイプかみそりカートリッジ３２の部分断面図である。図１４に示す図では、エジェクタアーム４６、４８は、後退位置に示されており、各エジェクタアーム４６、４８の遠位端５０、５２が、第１タイプかみそりカートリッジ接続部材３７（第１タイプかみそりカートリッジ接続部材３７の更なる説明は以下に示されている）の特徴要素に位置合わせすることを見ることができる。
【００２３】
従って、エジェクタアーム４６、４８の遠位端５０、５２は、第１タイプかみそりカートリッジ３２の接続部材３７の特徴要素と、同じく第２タイプかみそりカートリッジ３４の接続部材３９の特徴要素と協働し、それぞれのタイプのかみそりカートリッジ３２、３４を本発明のかみそりカートリッジハンドル３０から取り外すことを可能にするように構成され、すなわち、本発明のエジェクタアーム４６、４８は、両タイプのかみそりカートリッジ３２、３４と共に機能することを上記から見ることができる。用語「協働する」は、エジェクタアーム４６、４８の遠位端５０、５２が、両タイプのかみそりカートリッジのそれぞれの接続部材３７、３９の特徴要素の係合を容易にするように構成され、そのタイプのかみそりカートリッジを本発明のかみそりカートリッジハンドル３０から取り外すことを可能にする意味でこの段落で上記に使用されている。
【００２４】
図３〜９を参照すると、ハンドル３０は、ハンドル３０を第１タイプかみそりカートリッジ３２に接続するように構成された第１アセンブリ５８を含む。第１アセンブリ５８は、ハンドル３０のカートリッジ端部３６から出て延びる本体６０を含む。本体６０は、第１タイプかみそりカートリッジ内に受け入れられるように構成される。図６〜９、１４、及び１５に見ることができるように、本体６０は、第１タイプかみそりカートリッジ接続部材３７の嵌合雌空洞部分に受け入れられるように構成された雄突出部であり、嵌合する雄突出部及び雌空洞は、「接続対」と呼ぶことができる。本体６０は、対向する底部パネル６４から離間した上部パネル６２と、端部パネル６６と、１対の側部パネル６８とを含む。端部パネル６６及び側部パネル６８は、上部パネル及び底部パネル６２、６４の間を延びる。底部パネル６４は、第１タイプかみそりカートリッジ３２（例えば、以下に説明するように、図１２、１６を参照）に取り付けられたタブ７２を受け入れるように位置決めされた１対のタブスロット７０を含む。プランジャ４２及びエジェクタアーム４６、４８は、上部パネル及び底部パネル６２、６４の間で、例えば、通常の付勢された位置に配置され、エジェクタアーム４６、４８は、実質的にハンドル３０の本体６０部分内に存在する。第１アセンブリ５８は、上部パネル６２から出て延びる傾斜タブ７４（例えば、図７〜９を参照）を更に含む。傾斜タブ７４は、交換第１タイプかみそりカートリッジ３２を収容するのに使用されるカートリッジ取り出し器（図示せず）のタブ保持器部分と係合するように構成かつ位置決めされ、例えば、ハンドル３０が、取り出し器内に配置された交換カートリッジと係合するように移動する時に、傾斜タブ７４は、タブ保持具を変位させ、それによってハンドル３０が交換かみそりカートリッジと接続することを可能にする。
【００２５】
第１アセンブリ５８の完全な理解を与えるために、第１タイプかみそりカートリッジ３２の一部の態様を簡単に説明することが有用である。図１５及び１６は、第１タイプかみそりカートリッジ３２の図を示し、このカートリッジは、接続部材３７にピボット式に取り付けられた刃ユニット３３を含む。接続部材３７は、１対の側壁７８Ａ、７８Ｂによって部分的に形成された空洞７６（すなわち、上述の接続対の雌部材）を含む。空洞７６は、本発明のハンドル第１アセンブリ５８の本体６０（すなわち、接続対の雄突出部）を受け入れるように構成される。接続部材３７は、本体底部パネル６４に配置されたタブスロット７０と係合するように構成された１対のタブ７２を含む。
【００２６】
図６〜１２を参照すると、上述のように、本発明のかみそりカートリッジハンドル３０のエジェクタ４４は、通常位置とカートリッジ−押し出し位置との間で平行移動可能である。第１タイプかみそりカートリッジ３２を本発明のハンドル３０に取り付けてエジェクタ４４が通常位置にある時に、接続部材のタブ７２は、本体６０（例えば、図１２を参照）に配置されたタブスロット７０と係合し、それによってカートリッジ３２が通常作動中にハンドル３０から脱落するのを防止する。以下で更に説明するように、本発明のハンドル３０は、本体上部パネル６２から離間した上部位置付けパネル８２と本体底部パネル６４から離間した底部位置付けパネル８４とを有する第２アセンブリ８０を含む。第１タイプかみそりカートリッジ３２がハンドル３０に取り付けられた時に、第１タイプかみそりカートリッジ接続部材３７の側壁７８Ａ、７８Ｂのうちの一方は、上部位置付けパネル８２と本体上部パネル６２の間の間隙に配置され、他方の側壁７８Ａ、７８Ｂは、底部位置付けパネル８４と本体底部パネル６４の間の間隙に配置される。エジェクタアーム４６、４８は、第１タイプかみそりカートリッジ３２に配置された特徴要素と係合するように構成される。エジェクタ４４が、カートリッジ−押し出し位置の中に平行移動された時に、エジェクタアーム４６、４８は、特徴要素と係合し、それら及び取り付けられたタブ７２を偏向させ、タブ７２を本体上部パネル６４内のタブスロット７０から係合解除させ、それによってかみそりカートリッジ３２をハンドル３０から取り外すことを可能にする。
【００２７】
第２アセンブリ８０は、ハンドル３０を第２タイプかみそりカートリッジ３４に接続するように構成される。第２アセンブリ８０は、本体端部パネル６６（例えば、図８、９、及び１３を参照）から外向きに延びる楔形突出部８６を含む。突出部８６は、１対の側壁８８と、端部パネル９０とを含み、この側壁８８は、端壁９０から本体端部パネル６６に延び、この側壁８８は、本体端部パネル６６の方向に互いに向けて収束する。楔形突出部８６は、大きい遠位端（端壁９０での）及び比較的小さい端部（本体端部パネル６６での）を有すると説明することができる。上述のように、第２アセンブリ８０は、本体上部パネル６２から離間した上部位置付けパネル８２（すなわち、間隙が上部位置付けパネル８２を本体上部パネル６２から分離する）と、本体底部パネル６４から離間した底部位置付けパネル８４（すなわち、間隙が底部位置付けパネル８４を本体上部パネル６４から分離する）とを更に含み、例えば、図１０を参照されたい。以下に説明するように、上部位置付けパネル及び底部位置付けパネル８２、８４は、第２タイプかみそりカートリッジ３４（例えば、図１０を参照）の接続部材３９に配置された空洞９２内に受け入れられるように構成される。上部位置付けパネル８２は、第２タイプかみそりカートリッジ３４の空洞と嵌合するように弓形に成形された遠位縁９４を有する。底部位置付けパネル８４も、第２タイプかみそりカートリッジ３４の空洞と嵌合するように弓形に成形された遠位縁９６を有する。例えば、図６及び７に示す実施形態において、上部位置付けパネル及び底部位置付けパネル８２、８４の遠位縁９４、９６の曲率は、互いに異なっている。第２アセンブリ８０は、底部位置付けパネル８４から出て延びる突出部９８を更に含み、突出部９８は、第２タイプかみそりカートリッジ接続部材３９の縁部と係合して第２タイプかみそりカートリッジ３４とハンドル３０の間の移動を防止するように位置決めされる。上部位置付けパネル８２は、第１タイプかみそりカートリッジ３２を収容するのに使用されるカートリッジ取り出し器（図示せず）のタブ保持器部分を受け入れるように構成されたスロット１００（例えば、図８を参照）を含む。
【００２８】
第２アセンブリ８０の完全な理解を与えるために、第２タイプかみそりカートリッジ３４の一部の態様を簡単に説明することが有用である。図１７及び１８は、それぞれ第２タイプかみそりカートリッジ３４の前面及び後面図である。図１９及び２０は、それぞれ第２タイプかみそりカートリッジ３４の接続部材３９の前面及び底面図である。上述のように、第２タイプかみそりカートリッジ３４は、接続部材３９にピボット式に取り付けられた刃ユニット３５を含む。接続部材３９は、側壁１０２と端壁とによって部分的に形成された空洞９２を有する本体を含み、例えば、図１０を参照されたい。１対の片持ちラッチ５６Ａ、５６Ｂが、端壁の一部を形成する。各片持ちラッチ５４、５６は、端壁を通って延びる開口部の一部分を形成する自由遠位端５４Ａ、５６Ａ（図２０を参照）含み、その開口部は、幅「Ｗ」を有する。
【００２９】
ここで図１３を参照すると、第２タイプカートリッジは、本発明のハンドル３０に接続されて略図様式で部分的に示されている。第２タイプかみそりカートリッジ３４及び本発明のハンドル３０が取り付けられた時に、第２タイプかみそりカートリッジ接続部材３９のラッチ５４、５６の遠位端は、楔形突出部８６の側壁８８と係合する。楔形は、かみそりの通常作動中にハンドル３０からの第２タイプかみそりカートリッジ３４の取り外しを抑制する。
【００３０】
図１０を参照すると、第２タイプカートリッジがハンドル３０に取り付けられた時に、上部位置付けパネル及び底部位置付けパネル８２、８４は、空洞９２のそれぞれの側部の近傍で第２のかみそりタイプの接続部材に配置された空洞９２内に受け入れられ、ハンドル３０と第２タイプかみそりカートリッジ３４の間の相対移動を抑制する。底部位置付けパネル８４から出て延びる突出部９８は、第２タイプかみそりカートリッジ接続部材３９の縁部と係合し、同じく第２タイプかみそりカートリッジ３４とハンドル３０の間の移動を抑制する。
【００３１】
上述のように、エジェクタ４４（すなわち、第１タイプかみそりカートリッジ３２と係合解除するように作動可能な同じエジェクタ４４）は、通常位置とカートリッジ−押し出し位置との間で平行移動可能である。エジェクタアーム４６、４８は、接続部材３９の片持ちラッチ５４、５６部分と係合するように構成される。エジェクタ４４がカートリッジ−押し出し位置の中に平行移動された時に、エジェクタアーム４６、４８は、片持ちラッチ５４、５６と係合し、それらを楔形突出部８６との係合から出るように偏向させ、それによってハンドル３０からの第２タイプかみそりカートリッジ３４の取り外しを可能にする。
【００３２】
図２１を参照すると、ハンドル３０のカートリッジ端部３６を示す本発明のかみそりカートリッジハンドル３０の別の実施形態の部分概略斜視図が示されている。この実施形態は、上述のように、エジェクタボタン４０、プランジャ４２、及びエジェクタ４４を含む。この実施形態は、上述のように、ハンドル３０を第１タイプかみそりカートリッジ３２（図示せず）に接続するように構成された第１アセンブリ５８を更に含む。この実施形態はまた、ハンドル３０を第２タイプかみそりカートリッジ３４（図示せず）に接続するように構成された第２アセンブリ８０を含む。第２アセンブリは、上部位置付けパネル８２及び底部位置付けパネル８４を含む。この実施形態において、上部位置付けパネル及び底部位置付けパネル８２、８４の一方又は両方には、タブ１１０が設けられている。タブは、図示のように、あらゆる位置付けパネルから外向きに延びる。図２２は、ハンドル３０に取り付けられた（明瞭化のためにプランジャ４２及びエジェクタ４４が省略された）第２タイプかみそりカートリッジ３４の接続部材３９の一部分を示す図２１の部分断面側面図である。図示のように、上部位置付けパネル８２及び底部位置付けパネル８４の両方には、タブ１１０が設けられている。接続部材３９には、タブ１１０を受け入れ、それによって第２タイプかみそりカートリッジ３４をハンドル３０に取り付けようにスロット１１２が設けられている。
【００３３】
図２１では、ハンドル３０には、横方向に対向する安定化突出部１１４、１１６が設けられている。図２３は、単に例示的な目的のために（第１タイプかみそりカートリッジの接続部材３７は、一点鎖線で示されている）、同時にハンドル３０に取り付けられた第１及び第２タイプかみそりカートリッジ３２、３４の接続部材３７、３９の断片を示す図２１の略図又は概略断面上面図である。安定化突出部１１４及び１１６は、これに代えて、第２タイプかみそりカートリッジ３４の接続部材３９に嵌合するか又は第１タイプかみそりカートリッジ３２の接続部材３７の外部であり、ユーザがいずれかのタイプのかみそりカートリッジをハンドルに取り付ける時にガイダンスを提供し、ハンドル３０に対して左右に（図２３の平面に示すように時計回り／反時計回り）又は横方向に揺動するいずれのタイプのかみそりカートリッジに対しても抵抗するように意図している。
【００３４】
本発明のハンドル３０は、第１タイプかみそりカートリッジ３２及び第２タイプかみそりカートリッジ３４の両方と共に全てが作動するようになったエジェクタボタン４０、エジェクタ４４、及びプランジャ４２を含み、例えば、プランジャ４２は、両タイプのかみそりカートリッジ３２、３４の後部部分を付勢してハンドル３０から離れて回転するように作動可能であり、エジェクタ４４及びエジェクタボタン４４は、ハンドル３０から両タイプのかみそりカートリッジ３２、３４を係合解除するように起動することができることは上記から見ることができる。その結果、本発明のハンドル３０は、複数の異なるタイプのかみそりカートリッジを単一ハンドルと共に使用することを可能にし（ハンドルとは無関係のアダプタのための費用又は必要性なしで）、それによっていずれのタイプのかみそりカートリッジの作動も損なうことなくハンドルの多様性を大きく増大させる。
【００３５】
当業者は、以下の特許請求の範囲によって定められるような本発明の開示の真の範囲から逸脱することなく変形及び修正を行うことができることを認識するであろう。例えば、いずれか１つの実施形態に関連して開示した特徴は、単独で又はそれぞれの他の実施形態の各特徴と組み合わせて使用することができる。
【符号の説明】
【００３６】
３０  かみそりカートリッジハンドル
３２  かみそりカートリッジ
３３  刃ユニット
３６  カートリッジ端部
４０  エジェクタボタン
【図１】
0006502487.tif 000002
【図２】
0006502487.tif 000003
【図３】
0006502487.tif 000004
【図４】
0006502487.tif 000005
【図５Ａ】
0006502487.tif 000006
【図５Ｂ】
0006502487.tif 000007
【図５Ｃ】
0006502487.tif 000008
【図６】
0006502487.tif 000009
【図７】
0006502487.tif 000010
【図８】
0006502487.tif 000011
【図９】
0006502487.tif 000012
【図１０】
0006502487.tif 000013
【図１１】
0006502487.tif 000014
【図１２】
0006502487.tif 000015
【図１３】
0006502487.tif 000016
【図１４】
0006502487.tif 000017
【図１５】
0006502487.tif 000018
【図１６】
0006502487.tif 000019
【図１７】
0006502487.tif 000020
【図１８】
0006502487.tif 000021
【図１９】
0006502487.tif 000022
【図２０】
0006502487.tif 000023
【図２１】
0006502487.tif 000024
【図２２】
0006502487.tif 000025
【図２３】
0006502487.tif 000026